(57)【特許請求の範囲】
【請求項１】
カメラ機能が搭載された携帯端末の画像自動補正システムであって、
カメラ撮影時、撮影画像から撮影条件設定データ、被写体に対するシーン分類結果及び補正前の撮影画像データを抽出し、該撮影条件設定データと、該被写体に対するシーン分類結果とを関連づける設定ファイルを作成する画質パラメータ抽出部と、
前記抽出された前記撮影条件設定データ、前記被写体に対するシーン分類結果及び前記設定ファイルを補正条件として保持する履歴ＤＢと、
外部から取得した画像に対応する補正条件を前記履歴ＤＢから読み出して、補正処理を行う履歴活用部と、
前記画質パラメータ抽出部、前記履歴ＤＢ及び前記履歴活用部を制御する行動制御部と、
を備えた画像分析エンジンを有し、
前記画質パラメータ抽出部は、前記外部から取得した画像を閲覧・保持する時、前記外部から取得した画像のシーン分類を抽出し、該抽出結果を前記履歴活用部に通知し、
前記履歴活用部は、該通知された前記抽出結果に対応する補正条件を前記履歴ＤＢから読み出して、補正処理を行うことを特徴とする画像自動補正システム。
【請求項２】
前記撮影条件設定データは、前記カメラの撮影モードとして被写体の種別毎に定義される画質調整パターン、および画質パラメータとして定義される画質調整項目のうちの少なくとも１つを含み、
前記カメラの撮影モードとして定義対象となる被写体は、人物、風景、夜景、料理のうちの少なくとも１つを含み、前記画質パラメータとして定義される画質調整項目は、彩度、ホワイトバランス、コントラスト、露光のうちの少なくとも１つを含み、前記被写体に対するシーン分類結果は、撮影モードとして定義した分類のうちの少なくとも１つを含むことを特徴とする請求項１に記載の画像自動補正システム。
【請求項３】
カメラ機能が搭載された携帯端末の画像自動補正の方法であって、
カメラ撮影時、撮影画像から撮影条件設定データ、被写体に対するシーン分類結果及び補正前の撮影画像データを抽出し、該撮影条件設定データと、該被写体に対するシーン分類結果とを関連づける設定ファイルを作成する手順と、
前記抽出された前記撮影条件設定データ、前記被写体に対するシーン分類結果及び前記設定ファイルを補正条件として履歴ＤＢに保持する手順と、
外部から取得した画像を閲覧・保持する時、前記外部から取得した画像のシーン分類を抽出する手順と、
該抽出されたシーン分類に対応する補正条件を前記履歴ＤＢから読み出して、補正処理を行う手順と、
を備えることを特徴とする画像自動補正方法。
【請求項４】
カメラ機能が搭載された携帯端末の画像自動補正のプログラムであって、
カメラ撮影時、撮影画像から撮影条件設定データ、被写体に対するシーン分類結果及び補正前の撮影画像データを抽出し、該撮影条件設定データと、該被写体に対するシーン分類結果とを関連づける設定ファイルを作成する処理と、
前記抽出された前記撮影条件設定データ、前記被写体に対するシーン分類結果及び前記設定ファイルを補正条件として履歴ＤＢに保持する処理と、
外部から取得した画像を閲覧・保持する時、前記外部から取得した画像のシーン分類を抽出する処理と、
該抽出されたシーン分類に対応する補正条件を前記履歴ＤＢから読み出して、補正処理を行う処理と、
をコンピュータに実行させることを特徴とする画像自動補正プログラム。
【発明の詳細な説明】
【技術分野】
【０００１】
本発明は、携帯端末などに搭載されているカメラで撮影した画像の彩度及びコントラスト等を解析して得た補正データに基づき、メール等によって外部から取得した画像に対して補正を行う携帯端末画像自動補正システム、その方法及びそのプログラムに関する。
【背景技術】
【０００２】
カメラで撮影された画像は、撮影時の光源の色温度、順光又は逆光等の光線状態等により、その結果が大きく左右される。
【０００３】
色調や被写体の陰影の結果が思わしくない画像については、電子的な補正を行い得るが、その補正の操作は一般に煩雑であり、特に操作のインターフェースが限られている携帯端末では困難であった。
【０００４】
そのため、特許文献１及び２には、カラー画像データにおける所定の箇所の色を認識し、カラー画像データにおける所定の箇所の色名をユーザに通知したり、人工照明に応じて撮影画像を補正するシステムが開示されている。
【０００５】
また、特許文献３には、メールに添付されている顔画像データに対して顔認証技術を使って遠隔操作を行う携帯端末に係る発明が開示されている。
【０００６】
更には、特許文献４及び５では、さまざまな撮影モードに基づいて画像補正を行う発明が開示されている。
【先行技術文献】
【特許文献】
【０００７】
【特許文献１】特開２００６−２７０５４７号公報
【特許文献２】特開２００７−１１５１２３号公報
【特許文献３】特開２００６−３２４８００号公報
【特許文献４】特開２００７−３０６４６１号公報
【特許文献５】特開２００９−２４６５６５号公報
【発明の概要】
【発明が解決しようとする課題】
【０００８】
しかしながら、これらの関連技術には、補正手段を予めユーザが選択する必要があり、又は人工照明に応じた画像補正の為、ユーザが意図しない絵作りが行われる事が発生するという問題があった。
【０００９】
更には、画質の良い悪いは主観で左右される事が多く、ユーザによって画質の好みが様々である為、一般ユーザがカメラ撮影を行う時に条件が統一されていない事が多く、撮る人によって同じシーンの写真でも画質の補正処理が様々であり、友人・知人から受信したメールに添付されてきた画像の補正処理に関して好ましくない画像という問題があった。
【００１０】
本発明は上記に鑑みてなされたもので、携帯端末などに搭載されているカメラで撮影した画像の彩度及びコントラスト等を解析して得た補正データに基づき、メール等によって外部から取得した画像に対して補正を行う携帯端末画像自動補正システム、その方法及びそのプログラムを提供することを目的とする。
【課題を解決するための手段】
【００１１】
本発明の第１の観点によれば、カメラ機能が搭載された携帯端末の画像自動補正システムであって、カメラ撮影時、撮影画像から撮影条件設定データ、被写体に対するシーン分類結果及び補正前の撮影画像データを抽出し、該撮影条件設定データと、該被写体に対するシーン分類結果とを関連づける設定ファイルを作成する画質パラメータ抽出部と、前記抽出された前記撮影条件設定データ、前記被写体に対するシーン分類結果及び前記設定ファイルを補正条件として保持する履歴ＤＢと、外部から取得した画像に対応する補正条件を前記履歴ＤＢから読み出して、補正処理を行う履歴活用部と、前記画質パラメータ抽出部、前記履歴ＤＢ及び前記履歴活用部を制御する行動制御部と、を備えた画像分析エンジンを有し、前記画質パラメータ抽出部は、前記外部から取得した画像を閲覧・保持する時、前記外部から取得した画像のシーン分類を抽出し、該抽出結果を前記履歴活用部に通知し、前記履歴活用部は、該通知された前記抽出結果に対応する補正条件を前記履歴ＤＢから読み出して、補正処理を行うことを特徴とする画像自動補正システムが提供される。
【００１２】
また、本発明の第２の観点によれば、カメラ機能が搭載された携帯端末の画像自動補正の方法であって、カメラ撮影時、撮影画像から撮影条件設定データ、被写体に対するシーン分類結果及び補正前の撮影画像データを抽出し、該撮影条件設定データと、該被写体に対するシーン分類結果とを関連づける設定ファイルを作成する手順と、前記抽出された前記撮影条件設定データ、前記被写体に対するシーン分類結果及び前記設定ファイルを補正条件として履歴ＤＢに保持する手順と、外部から取得した画像を閲覧・保持する時、前記外部から取得した画像のシーン分類を抽出する手順と、該抽出されたシーン分類に対応する補正条件を前記履歴ＤＢから読み出して、補正処理を行う手順と、を備えることを特徴とする画像自動補正方法が提供される。
【００１３】
更に、本発明の第３の観点によれば、カメラ機能が搭載された携帯端末の画像自動補正のプログラムであって、カメラ撮影時、撮影画像から撮影条件設定データ、被写体に対するシーン分類結果及び補正前の撮影画像データを抽出し、該撮影条件設定データと、該被写体に対するシーン分類結果とを関連づける設定ファイルを作成する処理と、前記抽出された前記撮影条件設定データ、前記被写体に対するシーン分類結果及び前記設定ファイルを補正条件として履歴ＤＢに保持する処理と、外部から取得した画像を閲覧・保持する時、前記外部から取得した画像のシーン分類を抽出する処理と、該抽出されたシーン分類に対応する補正条件を前記履歴ＤＢから読み出して、補正処理を行う処理と、をコンピュータに実行させることを特徴とする画像自動補正プログラムが提供される。
【発明の効果】
【００１４】
以上のように、本発明によれば、携帯端末などに搭載されているカメラで撮影した画像の彩度及びコントラスト等を解析して得た補正データに基づき、メール等によって外部から取得した画像に対して補正を行う携帯端末画像自動補正システム、その方法及びそのプログラムを提供することができる。
【図面の簡単な説明】
【００１５】
【図１】本発明の実施の形態に係るカメラ付き携帯端末の構成を概念化した図である。
【発明を実施するための形態】
【００１６】
以下、図面を参照しながら、本発明の実施の形態について詳細に説明する。ここで、図１は、本発明の実施の形態に係る携帯端末機器の構成を概念化した図である。
【００１７】
図１によると、本発明の実施の形態に係るカメラ付き携帯端末１は、画像分析エンジン２を有するデジタルカメラ相当のカメラ機能が搭載された携帯端末である。
【００１８】
その携帯端末１に内蔵される画像分析エンジン２は、カメラ撮影時、撮影画像からカメラの撮影モード、画質パラメータ、被写体に対するシーン分類結果及び補正前の撮影画像データを抽出し、該カメラの撮影モード及び該画質パラメータと、該被写体に対するシーン分類結果とを関連づける設定ファイルを作成する画質パラメータ抽出部２２と、抽出されたカメラの撮影モード、画質パラメータ、被写体に対するシーン分類結果及び設定ファイルを補正条件として保持する履歴ＤＢ２３と、他端末から送付されてくるメールに添付されている画像に対応する補正条件を履歴ＤＢ２３から読み出して、補正処理を行う履歴活用部２４と、画質パラメータ抽出部２２、履歴ＤＢ２３及び履歴活用部２４を制御する行動制御部２１とを備える。
【００１９】
画質パラメータ抽出部２２は、他端末から送付されてくるメールに添付されている画像のシーン分類を抽出し、該抽出結果を履歴活用部２４に通知し、履歴活用部２４は、該通知された抽出結果に対応する補正条件を履歴ＤＢ２３から読み出して、補正処理を行うことを特徴とする。
【００２０】
本実施の形態に係る画像分析エンジン２は、上記の構成により、本実施の形態に係る携帯端末でのカメラ撮影時、撮影画像に対する特徴を解析し、履歴ＤＢ２３内に保持し、履歴活用部２４にてユーザ毎に好みに合った画像補正を作成する事が可能なエンジンである。
【００２１】
ここで、カメラ撮影時、撮影画像から抽出される画像の特徴は、
(i)：カメラの撮影モード（人物、風景、夜景、料理など）又は、画質パラメータ（彩度、ホワイトバランス、コントラスト、露光など）
(ii)：被写体に対するシーン分類結果（人物、風景、夜景など）
(iii)：補正前の撮影画像データ
(iv)：(i)及び（ii）と（iii）が関連づけられる設定ファイル、である。
【００２２】
[本実施の形態の動作]
以下、本実施の形態に係る携帯端末にてカメラ撮影が行われた時の動作を、図１に基づいて説明する。
【００２３】
まず、本実施の形態に係る携帯端末にてカメラ撮影が行われると、画像分析エンジン２内の画質パラメータ抽出部２２にて撮影画像に対する特徴を抽出し、履歴ＤＢ２３へ保持する。
【００２４】
抽出する特徴としては、
(1)カメラの撮影モード（人物、風景、夜景、料理など）
(2)被写体に対するシーン分類結果（人物、風景、夜景など）
(3)補正処理前の画像データ、である。
【００２５】
一例として、夜景の被写体に対して料理の撮影モードで撮影したとする。この時の撮影画像Ａに対して、画像分析エンジン２内の画質パラメータ抽出部２２にて料理画像に対する特徴として、カメラの撮影モード、被写体のシーン分類結果、補正前の画像データを抽出し、それらの抽出結果を関連付けた設定ファイルとともに履歴ＤＢ２３内に保持される。撮影画像Ａは、カメラの撮影モードが「料理」、被写体としては「夜景」である。
【００２６】
続いて、花の被写体に対して料理の撮影モードで撮影して撮影画像Ｂを作成し、人物の被写体に対しては夜景の撮影モードで撮影し、撮影画像Ｃを作成する。撮影画像Ｂ、Ｃは撮影画像Ａと同様、それぞれ画質パラメータ抽出部２２にて特徴を抽出し、それらの抽出結果を関連付けた設定ファイルとともに履歴ＤＢ２３内に保持される。
【００２７】
撮影画像Ｂはカメラの撮影モードが「料理」、被写体としては「花」であり、撮影画像Ｃはカメラの撮影モードが「夜景」であり、被写体としては「人物」である。
【００２８】
以上の事例では、撮影された画像の画質として撮影画像Ａ、Ｂの結果から彩度が高く、全体的に派手目な「料理モード」の補正処理を行う事が多いと考える。
【００２９】
また、上記の携帯端末と同等の機能が搭載されたカメラ付き携帯端末により別途撮影された画像Ｄを、上記の携帯端末へメールに添付して送信するとする。この時、添付画像は履歴ＤＢ２３内に保持されている補正前の画像データに相当する。
【００３０】
上記携帯端末は、紅葉が写っている撮影画像Ｄが添付されたメールを受信するとする。
【００３１】
メールに添付されている画像Ｄを閲覧・保持する時、画像分析エンジン２内の画質パラメータ抽出部２２にてシーン分類「紅葉」と分析し、その分析結果を履歴活用部２４に通知する。履歴活用部２４にて撮影画像Ｄにふさわしい「料理モード」に紐づけられた設定ファイルを履歴ＤＢ２３から読み出し、この設定ファイルに関連づけられたカメラの撮影モード、画質パラメータを用いて補正処理を行う。
【００３２】
また、他の携帯端末から人物が写っている撮影画像Ｅが添付されたメールを受信するとする。ここでは、画質パラメータ抽出部２２にてシーン分類「人物」と分析し、その分析結果を履歴活用部２４に通知する。履歴活用部２４にて撮影画像Ｅにふさわしい「夜景モード」に紐づけられた設定ファイルを履歴ＤＢ２３から読み出し、この設定ファイルに関連づけられたカメラの撮影モード、画質パラメータを用いて補正処理を行う。
【００３３】
以上のように、本実施の形態に係る携帯端末では、
１．ユーザ毎の好みにあわせた絵作りの画像を作成することが可能
２．異なる撮影条件やカメラでも統一された画質を作成することが可能
３．撮れば撮るほど履歴が溜まる為、ユーザ毎の好みの画像の精度が向上することが可能であるという特徴を有する。
【００３４】
[本発明のその他の実施の形態]
画像データの他に補正情報についても他端末へ送り、補正することも可能である。又は、画像解析エンジンを端末内部ではなく、サーバ側で持たせることも可能である。更には、色覚に障害を持った人などが色補正を行う事も可能である。
【００３５】
本発明の上記の実施の形態による携帯端末の画像補正システムは、ハードウェアによっても実現することもできるが、コンピュータをその携帯端末の画像補正システムとして機能させるためのプログラムをコンピュータがコンピュータで読み取り可能な記録媒体から読み込んで実行することによっても実現することが出来る。
【００３６】
また、本発明の上記の実施の形態による携帯端末の画像補正の方法は、ハードウェアによっても実現することもできるが、コンピュータにその方法を実行させるためのプログラムをコンピュータがコンピュータで読み取り可能な記録媒体から読み込んで実行することによっても実現することが出来る。
【産業上の利用可能性】
【００３７】
本発明は、画像に対してユーザ毎に特化した補正データを適用し、補正を行う事で、ユーザ毎の好みに合わせた画像を作成することが可能なシステムに用いることができる。
【符号の説明】
【００３８】
１  カメラ付き携帯端末
２  画像分析エンジン
２１  行動制御部
２２  画質パラメータ抽出部
２３  履歴ＤＢ
２４  履歴活用部
【図１】
0005531646.tif 000002